(57)【要約】【課題】リコーダ等のエアリードを持つ木管楽器から発せられる演奏音の音圧を小さくすることのできる技術を提供する。【解決手段】差込部材２は、リコーダ１の窓部１１２からウィンドウェイ部へ差し込まれて用いられる。差込部材２の差込部２１は、リコーダ１のウィンドウェイ部の厚みよりも薄い板状の部材で形成されている。差込部２１には、差込方向の先端部から後端部に伸びるスリットが形成されている。差込部材２のフランジ部２２は、板状の部材で形成され、差込部２１の板状の部材の差込方向の後端部に接合されている。フランジ部２２には、差込部２１に形成されたスリットに連なるスリットが形成されている。【選択図】図３
2010223982.tif 000002
【特許請求の範囲】
【請求項１】
窓部とウィンドウェイ部とを有するエアリードを持つ木管楽器の前記窓部に装着され、前記木管楽器の演奏音の音圧を減少させる弱音部材であって、
前記ウィンドウェイ部の厚みよりも薄い板状の部材で形成され、前記窓部から前記ウィンドウェイ部へ差し込まれる差込部であって、前記板状の部材の差込方向の先端部から後端部方向に伸びるスリットが形成された差込部と、
前記差込部の板状の部材の差込方向の後端部に設けられたフランジ部であって、板状の部材で形成され、前記差込部に形成されたスリットに連なるスリットが形成されたフランジ部と
を備えることを特徴とする弱音部材。
【請求項２】
前記差込部に形成された前記スリットの両側の部分を連結するスタビライザー部
を備えることを特徴とする請求項１に記載の弱音部材。
【請求項３】
前記木管楽器はラビューム部を有し、
前記差込部と前記フランジ部との接合部分における前記木管楽器のラビューム部側の面が、当該弱音部材を前記木管楽器の前記窓部に装着した際に前記ラビューム部の先端部分の当該弱音部材と対向する面と平行になるように形成されている
ことを特徴とする請求項１又は２に記載の弱音部材。
【発明の詳細な説明】
【技術分野】
【０００１】
本発明は、リコーダ等のエアリードを持つ木管楽器の演奏音の音圧を低減する技術に関する。
【背景技術】
【０００２】
近年、トランペットやトロンボーン等の金管楽器において、金管楽器のベル部に装着して演奏音を小さくする弱音器が提案されている。例えば、特許文献１に記載の技術では、金管楽器のベルから発せられている音をマイクロホンにて収音し、電気信号に変換して音高を検知し、このときのバルブの操作状態をバルブ操作検出器にて検出して電気信号に変換し、音高情報とバルブ操作情報とから演奏者が発音させようとしている音高を特定するととともにこの音高信号を標準音高として電気的に生成し、標準音高を音波として放射する技術が提案されている。また、特許文献２には、金管楽器のベル部に装着される消音器であって、底部と胴部からなり、底部に最大内径部があり、呼気を内部空間に連通して呼気を外部空間に排出する所定の長さを有する呼気排出通路部を備え、呼気排出通路部の通路抵抗により外部への音波の伝播を抑制する技術が提案されている。
【先行技術文献】
【特許文献】
【０００３】
【特許文献１】特開２００７−１７１２４９号公報
【特許文献２】特開２００８−９６４９８号公報
【発明の概要】
【発明が解決しようとする課題】
【０００４】
上述のように、金管楽器の演奏音の音圧を低減する弱音器が種々提案されているが、リコーダ等の木管楽器においても演奏音を小さくすることができれば好適である。
本発明は上述した背景に鑑みてなされたものであり、リコーダ等の木管楽器から発せられる演奏音の音圧を小さくすることのできる技術を提供することを目的とする。
【課題を解決するための手段】
【０００５】
上記課題を解決するために、本発明は、窓部とウィンドウェイ部とを有するエアリードを持つ木管楽器の前記窓部に装着され、前記木管楽器の演奏音の音圧を減少させる弱音部材であって、前記ウィンドウェイ部の厚みよりも薄い板状の部材で形成され、前記窓部から前記ウィンドウェイ部へ差し込まれる差込部であって、前記板状の部材の差込方向の先端部から後端部方向に伸びるスリットが形成された差込部と、前記差込部の板状の部材の差込方向の後端部に設けられたフランジ部であって、板状の部材で形成され、前記差込部に形成されたスリットに連なるスリットが形成されたフランジ部とを備えることを特徴とする弱音部材を提供する。
【０００６】
本発明の好ましい態様において、前記差込部に形成された前記スリットの両側の部分を連結するスタビライザー部を備えてもよい。
【０００７】
本発明の更に好ましい態様において、前記木管楽器はラビューム部を有し、前記差込部と前記フランジ部との接合部分における前記木管楽器のラビューム部側の面が、当該弱音部材を前記木管楽器の前記窓部に装着した際に前記ラビューム部の先端部分の当該弱音部材と対向する面と平行になるように形成されていてもよい。
【発明の効果】
【０００８】
本発明によれば、リコーダ等の木管楽器から発せられる演奏音の音圧を小さくすることができる。
【図面の簡単な説明】
【０００９】
【図１】差込部材が装着されたリコーダの外観の一例を示す斜視図である。
【図２】リコーダの頭部管の外観の一例を示す斜視図である。
【図３】リコーダの頭部管の外観の一例を示す斜視図である。
【図４】差込部材の外観の一例を示す斜視図である。
【図５】差込部材の外観の一例を示す斜視図である。
【図６】リコーダの頭部管の側断面図の一例である。
【図７】リコーダの頭部管の側断面図の一例である。
【図８】リコーダの頭部管の側断面図の一例である。
【図９】リコーダの頭部管の縦断面図の一例である。
【図１０】差込部材が装着されたリコーダの外観の一例を示す斜視図である。
【図１１】リコーダの頭部管の外観の一例を示す斜視図である。
【図１２】リコーダの頭部管の外観の一例を示す斜視図である。
【図１３】リコーダの頭部管の側断面図の一例である。
【図１４】リコーダの頭部管の側断面図の一例である。
【図１５】差込部材が装着されたリコーダの一例を示す図である。
【発明を実施するための形態】
【００１０】
＜Ａ：第１実施形態＞
＜Ａ−１：構成＞
図１は、この発明の一実施形態である差込部材２が装着されたリコーダ１の外観の一例を示す斜視図である。図において、リコーダ１は、頭部管１１と中部管１２と足部管１３とで構成され、吹奏者による吹奏操作と音孔を開閉する操作とにより発音してメロディを奏でることができるようになっている。なお、リコーダ１の構成は従来のリコーダと同様であるため、以下の説明においては、本実施形態の特徴的な構成に関連する構成について主に説明し、それ以外の構成についてはその詳細な説明を省略する。
【００１１】
図２及び図３は、リコーダ１の頭部管１１の外観の一例を示す斜視図である。図２は、リコーダ１の窓部１１２に差込部材２が差し込まれた状態を示し、図３は、リコーダ１の窓部１１２に差込部材２が差し込まれる前の状態を示す。図において、頭部管１１は、唄口部１１１と、窓部１１２とを備える。唄口部１１１は、吹奏者の呼気が吹き込まれる吹込み口である。リコーダ１は、窓部１１２に差込部材２が差し込まれて用いられる。差込部材２は、リコーダ１の窓部１１２に装着され、リコーダ１の演奏音の音圧を減少させるために用いられる部材である。図３に示すように、差込部材２は、リコーダ１の窓部１１２に対して図中の矢印Ａ方向に差し込まれて用いられる。
【００１２】
次に、差込部材２の構成について図面を参照しつつ説明する。図４及び図５は、差込部材２の外観の一例を示す斜視図である。なお、図５は、図４に示す差込部材２を図中の矢印Ｂ方向から観た斜視図である。差込部材２は、図示のように、差込部２１と、フランジ部２２と、スタビライザー部２３とを備える。差込部２１は、リコーダ１のウィンドウェイ部の厚みよりも薄い板状の部材で形成され、窓部１１２からウィンドウェイ部へ差し込まれる。差込部２１には、図示のように、差込部２１を形成する板状の部材の差込方向の先端部から後端部方向に伸びるスリット部２１１が形成されている。ここで、スリット部２１１のスリット幅ｗは、差込部材２の全体の幅Ｗに対して約２６〜３１％であることが好ましい。スリット部２１１のスリット幅ｗと、設置位置を所定の値にすることによって、演奏音の音圧を低減させることができる。
【００１３】
次に、差込部材２のフランジ部２２は、板状の部材で形成され、差込部２１の板状の部材の差込方向の後端部に接合されている。ここで、フランジ部２２の厚みを、図４に示すような所定の厚さにすることで、安定したピッチでの発音が可能になる。フランジ部２２は、差込部材２を取り外す場合に、部材をつまんで取り外すという役割も担っている。フランジ部２２には、差込部２１に形成されたスリット部２１１に連なるフランジスリット部２２１が形成されている。ここで、スリット部２１１のスリット幅とフランジスリット部２２１のスリット幅とは等しいことが好ましい。
【００１４】
スタビライザー部２３は、差込部２１のスリット部２１１によって分離された各部分を連結する部材である。ここで、スタビライザー部２３が設けられる位置は、差込部２１の長手方向の幅Ｌに対する、長手方向の先端からスタビライザー部２３が設けられた位置までの距離ｌの割合が、約４６％程度であることが好ましい。スタビライザー部２３が設けられる位置によっては、高音が出なくなってしまうことがあるためである。また、スタビライザー部２３の幅についても、図４に示すような形状で設けられることが好ましい。スタビライザー部２３の幅によって、高音が出なくなってしまうことがあるためである。
【００１５】
次に、差込部材２とリコーダ１との位置関係について図面を参照しつつ説明する。図６は、差込部材２が窓部１１２に差し込まれたリコーダ１の頭部管１１の側断面図の一例である。図示のように、リコーダ１の窓部１１２からウィンドウェイ部１１３へ差込部材２の差込部２１が差し込まれる。
【００１６】
図７は、図６において差込部材２の差込部２１とフランジ部２２との接合部２４付近を示す図である。また、図８は、差込部材２をウィンドウェイ部１１３から引き抜いた状態を示す図である。図７及び図８に示すように、差込部２１とフランジ部２２との接合部２４のうちの、リコーダ１のラビューム部１１４側の面２４ａが、差込部材２をリコーダ１の窓部１１２に装着した際にラビューム部１１４の先端部分の面１１４ａと略平行になるように形成されている。このように、差込部材２の面２４ａとラビューム部１１４の面１１４ａとが略平行になるように形成されていることにより、差込部材２をリコーダ１に装着する際にラビューム部１１４を損傷することがない。
【００１７】
また、図７に示すように、差込部２１とフランジ部２２との接合部２４のうちの、リコーダ１のヴォイス部１１５側の面２４ｂが、ヴォイス部１１５を形成する面１１５ｂに対して凹形状となるように形成されている。面２４ｂが曲面となっているのは、強度確保のため、ある程度厚みを持たせる必要があるためである。しかしながら、接合部２４にむやみに厚みを持たせると面２４ｂが面１１５ｂに接触してしまうため、接触しない程度に厚みを持たせる構成となっている。このような構成をとることにより、差込部材２をリコーダ１に装着する際にヴォイス部１１５を損傷することがない。
【００１８】
図９は、リコーダ１の頭部管１１の縦断面図である。図において、差込部材２の差込部２１の厚みは、リコーダのラビューム部１１４からヴォイス部１１５までの開口長さの約４０〜４５％であることが好ましい。
【００１９】
＜Ａ−２：動作＞
次に、この実施形態の動作について説明する。リコーダ１の吹奏者は、リコーダ１の窓部１１２に差込部材２を装着し、リコーダ１を吹奏する。なお、吹奏者によるリコーダ１の吹奏動作は、従来のリコーダの吹奏動作と同様であり、ここではその詳細な説明を省略する。リコーダ１の唄口部１１１から吹き込まれた吹奏者の呼気の一部は、ウィンドウェイ部１１３と差込部材２の隙間を通過するとともに、差込部材２のスリット部２１１及びフランジスリット部３２１を通過して窓部１１２から放出される。
【００２０】
このとき、リコーダ１に差込部材２が装着されることによって、演奏音の音圧が最大で２５ｄＢ程度低下する。このように、本実施形態によれば、既存のリコーダを用いて（すなわち既存のリコーダを改造することなく）、かつ、既存のリコーダのラビューム部やヴォイス部を傷つけることなく、リコーダの演奏音の音圧を低減することができる。
【００２１】
リコーダのラビューム部を傷つけてしまうと、リコーダの演奏音のピッチが変わってしまったり、演奏音が出なくなったりしてしまう場合があるが、この実施形態では、リコーダ１のヴォイス部１１５やラビューム部１１４を傷つけることなく、差込部材２をリコーダ１に取り付けることができるとともに、リコーダ１から取り外すことができる。
【００２２】
＜Ｂ：第２実施形態＞
＜Ｂ−１：構成＞
次に、この発明の第２の実施形態について説明する。図１０は、この発明の第２の実施形態である差込部材３が装着されたリコーダ１の外観の一例を示す斜視図である。なお、図１０に示すリコーダ１の構成は、上述した第１の実施形態で示したリコーダ１の構成と同様であり、同じ符号を付して適宜その説明を省略する。
【００２３】
図１１及び図１２は、リコーダ１の頭部管１１の外観の一例を示す斜視図である。図１１は、リコーダ１の窓部１１２に差込部材３が差し込まれた状態を示し、図１２は、リコーダ１の窓部１１２に差込部材３が差し込まれる前の状態を示す。図示のように、リコーダ１は、窓部１１２に差込部材３が挿入されて用いられる。差込部材３は、リコーダ１の窓部１１２に装着され、リコーダ１の演奏音の音圧を減少させるとともに演奏音のピッチを変化させるために用いられる部材である。図１２に示すように、差込部材３は、リコーダ１の窓部１１２に対して図中の矢印Ｃ方向に差し込まれて用いられる。
【００２４】
図１２に示すように、差込部材３は、差込部３１と、フランジ部３２とを備える。差込部３１は、リコーダ１のウィンドウェイ部の厚みよりも薄い板状の部材で形成され、窓部１１２からウィンドウェイ部へ差し込まれる。差込部３１は、図示のように、差込部３１を形成する板状の部材の差込方向の先端部から後端部方向に伸びるスリット部３１１が形成されている。
【００２５】
次に、差込部材３のフランジ部３２は、板状の部材で形成され、差込部３１の板状の部材の差込方向の後端部に接合されている。フランジ部３２には、差込部３１に形成されたスリット部３１１に連なるフランジスリット部３２１が形成されている。ここで、スリット部３１１のスリット幅とフランジスリット部３２１のスリット幅とは等しいことが好ましい。
【００２６】
次に、差込部材３とリコーダ１との位置関係について図面を参照しつつ説明する。図１３は、差込部材３が窓部１１２に差し込まれたリコーダ１の頭部管１１の側断面図の一例である。図示のように、リコーダ１の窓部１１２からウィンドウェイ部１１３へ差込部材３の差込部３１が差し込まれる。
【００２７】
図１４は、図１３において差込部材３の差込部３１とフランジ部３２との接合部３４付近を示す図である。図１４に示すように、差込部３１とフランジ部３２との接合部３４のうちの、リコーダ１のラビューム部１１４側の面３４ａは、差込部材３をリコーダ１の窓部１１２に装着した際にラビューム部１１４の先端部分の面１１４ａと略平行になるように形成されている。差込部材３の面３４ａとラビューム部１１４の面１１４ａとが略平行になるように形成されていることにより、差込部材３をリコーダ１に装着する際に、ラビューム部１１４を損傷することがない。このように、差込部材３のテーパ形状がラビューム上部にあることでラビューム先端部分を損傷することがない。
【００２８】
また、図１４に示すように、差込部３１とフランジ部３２との接合部３４のうちの、リコーダ１のヴォイス部１１５側の面３４ｂが、ヴォイス部１１５を形成する面１１５ｂに対して凹形状となるように形成されている。このように、差込部材３の面３４ｂがヴォイス部１１５の面１１５ｂに対して凹形状となるように形成されていることにより、差込部材３をリコーダ１に装着する際にヴォイス部１１５を損傷することがない。
【００２９】
図１５は、差込部材３が装着されたリコーダ１の上面図である。図１５に示すように、差込部材３が差し込まれた状態において、リコーダ１の窓部１１２はその一部Ａ１が開口した状態となっている。この窓部１１２の開口範囲に対するスリット部３１１の幅の割合に応じて、演奏音の音階が変化する。
【００３０】
＜Ｂ−２：動作＞
次に、この実施形態の動作について説明する。リコーダ１の吹奏者は、リコーダ１の窓部１１２に差込部材３を差し込み、リコーダ１を吹奏する。なお、吹奏者によるリコーダ１の吹奏動作は、従来のリコーダの吹奏動作と同様であり、ここではその詳細な説明を省略する。リコーダ１の唄口部１１１から吹き込まれた吹奏者の呼気の一部は、ウィンドウェイ部１１３と差込部材３の隙間を通過するとともに、差込部材３のスリット部３１１及びフランジスリット部３２１を通過して窓部１１２から放出される。
【００３１】
このとき、既存のリコーダ１に差込部材３を差し込むことによって、演奏音の音階を半音下げることができる。このとき、差込部材３の差込部材３１の厚みが、リコーダのラビューム部１１４からヴォイス部１１５までの開口長さの約４５％以上になると、リコーダの演奏音のピッチが変化し、４５％より大きいほど演奏音のピッチの変化が大きくなる。そのため、リコーダの窓開口範囲面積と差込部材３のスリット面積との関係を所定の比率にすることで、半音さげた発音が可能になる。このように、本実施形態によれば、既存のリコーダを用いて（すなわち既存のリコーダを改造することなく）、かつ、既存のリコーダのラビューム部やヴォイス部を傷つけることなく、リコーダの演奏音の音圧を低減することができるとともに、演奏音の音階を変化させることができる。
【００３２】
リコーダのラビューム部を傷つけてしまうと、リコーダの演奏音のピッチが変わってしまったり、演奏音が出なくなったりしてしまう場合があるが、この実施形態では、リコーダ１のヴォイス部１１５やラビューム部１１４を傷つけることなく、差込部材３をリコーダ１に取り付けることができるともに、リコーダ１から取り外すことができる。
【００３３】
＜変形例＞
以上、本発明の実施形態について説明したが、本発明は上述した実施形態に限定されることなく、他の様々な形態で実施可能である。以下にその例を示す。なお、以下の各態様を適宜に組み合わせてもよい。
（１）上述の実施形態では、既存のリコーダ１に差込部材２又は差込部材３を装着する構成となっていたが、これに限らず、リコーダ１と差込部材２（又は差込部材３）が一体となって構成されていてもよい。
【００３４】
（２）また、上述の第１の実施形態では、スタビライザー部２３を有する差込部材２の構成について説明したが、これに限らず、差込部材２にスタビライザー部２３を設けない構成としてもよい。
【００３５】
（３）上述の実施形態では、図７に例示するように、差込部材２の面２４ａとラビューム部１１４の面１４ａとが略平行になるように形成されており、この構成により、差込部材２をリコーダ１に装着する（又は取り外す）際にラビューム部１１４の損傷を防ぐことができるようになっていた。ラビューム部の損傷を防ぐ構造は上述した実施形態に示したものに限らず、例えば、差込部２１とフランジ部２２との接合部２４において、リコーダ１のラビューム部１１４に対向する面が、円弧形状となっていてもよい。要は、差込部２１とフランジ部２２との接合部２４においてリコーダ１のラビューム部１１４に対応する面が、差込部材２をリコーダ１に装着する（又は取り外す）際にラビューム部１１４を損傷することがないような形状であればよい。
【００３６】
また、上述の実施形態では、図７に例示するように、差込部材２の面２４ｂがヴォイス部１１５の面１１５ｂに対して凹形状となっているように形成されていることにより、差込部材２をリコーダ１に装着する（又は取り外す）際にヴォイス部１１５の損傷を防ぐことができるようになっていた。ヴォイス部の損傷を防ぐ構造は上述した実施形態に示したものに限らず、要は、差込部２１とフランジ部２２との接合部２４においてリコーダ１のヴォイス部１１５に対向する面が、差込部材２をリコーダ１に装着する（又は取り外す）際にラビューム部１１４を損傷することがないような形状であればよい。
【００３７】
（４）上述の実施形態では、差込部材２，差込部材３をリコーダ１に装着する場合について説明したが、差込部材２，３が装着される木管楽器はリコーダに限らず、他の木管楽器であってもよい。例えば、ティン・ホイッスルやフラジオレット、オカリナ等の木管楽器であってもよく、要は、少なくとも窓部とウィンドウェイ部とを備えた奏者の唇や楽器の通気孔を通して整形された空気の平たい流れが、リート゛の役目を果たしている木管楽器であればよい。
【符号の説明】
【００３８】
１…リコーダ、２…差込部材、１１…頭部管、１２…中部管、１３…足部管、２１，３１…差込部、２２，３２…フランジ部、２３…スタビライザー部、１１１…唄口部、１１２…窓部、１１３ウィンドウェイ部、２１１，３１１…スリット部、２２１，３２１…フランジスリット部。
【図１】
2010223982.tif 000003
【図２】
2010223982.tif 000004
【図３】
2010223982.tif 000005
【図４】
2010223982.tif 000006
【図５】
2010223982.tif 000007
【図６】
2010223982.tif 000008
【図７】
2010223982.tif 000009
【図８】
2010223982.tif 000010
【図９】
2010223982.tif 000011
【図１０】
2010223982.tif 000012
【図１１】
2010223982.tif 000013
【図１２】
2010223982.tif 000014
【図１３】
2010223982.tif 000015
【図１４】
2010223982.tif 000016
【図１５】
2010223982.tif 000017